(57)【要約】      （修正有）【課題】  内部に光源を備えてなる表示装置において、使用時に外部電源からの電力供給を不要とし、かつ装置内部に水が浸入した場合であっても電気機器を適切に保護しうる構成を提供する。【解決手段】  照明看板１は、基台２０とフレーム１０と光透過性の掲示部３、５とを備えている。上方収容部１０１の内部には光源４１、４２が設けられ、下方収容部１０２においては、光源４１、４２に電力を供給する充電可能な電源４６、４７と、電源４６、４７への電力供給を制御する制御部５０と、が設けられている。そして、光源４１、４２が設けられる収容部上方側と、制御部５０及び電源４６、４７が設けられる収容部下方側とを仕切る仕切部６０が、制御部５０及び電源４６、４７の上方をカバーするように設けられている。さらに、収容部１００の内部には、収容部上方側に浸入した水を、仕切部上から収容部１００の外部に導く溝状の排水路６２、６３が設けられている。【選択図】  図１
2006259499.tif 000002
【特許請求の範囲】
【請求項１】
基台と、
前記基台の上方において、前記基台に支持されるように配されるフレームと、
前記フレームに保持される光透過性の掲示部と、
を備えた表示装置であって、
少なくとも前記フレームと前記掲示部とによって囲まれてなる収容部の内部に光源が設けられ、前記収容部において前記光源の下方には、前記光源に電力を供給する充電可能な電源と、前記電源への電力供給又は前記電源からの電力供給を制御する制御部と、が設けられており、
前記収容部の内部には、前記光源が設けられる収容部上方側と、前記制御部及び前記電源が設けられる収容部下方側とを仕切る仕切部が、前記制御部及び前記電源の上方をカバーするように設けられ、
前記収容部の内部において、前記収容部上方側に浸入した水を、前記仕切部上から前記収容部の外部に導く排水路が設けられていることを特徴とする表示装置。
【請求項２】
前記フレームは、前記基台の上方においてそれぞれ上下方向に沿って長手状に配される一対の側壁部を有し、
一対の前記側壁部における上方側の第１部分に支持されるように一対の前記掲示部が互いに対向して配置され、
一対の前記側壁部における前記第１部分と、一対の前記掲示部と、に囲まれるようにして上方収容部が構成され、
一対の前記側壁部において前記第１部分よりも下方側に第２部分が設けられ、
この第２部分に支持されるように一対のパネルが互いに対向して配置され、
一対の前記パネルと、一対の前記側壁部の前記第２部分と、に囲まれるようにして下方収容部が構成されており、
前記下方収容部において、前記電源と、前記制御部とが収容されており、
前記仕切部は、前記上方収容部と、前記下方収容部とを仕切る形態にて、一対の前記側壁部の間にて架け渡されて配置されていることを特徴とする請求項１に記載の表示装置。
【請求項３】
前記排水路は、前記仕切部の両側方においてそれぞれ設けられていることを特徴とする請求項１又は請求項２に記載の表示装置。
【請求項４】
前記排水路は、一対の前記側壁部の一部として、当該側壁部の内側に形成された溝部からなることを特徴とする請求項２又は請求項３に記載の表示装置。
【請求項５】
前記仕切部の上方において、
前記光源を保持する保持フレームと、
前記保持フレームの表面を流れる水の一部を前記排水路に導く補助導水路と、
が設けられていることを特徴とする請求項１ないし請求項４のいずれかに記載の表示装置。
【請求項６】
前記仕切部における前記光源側とは反対側において、前記制御部が固定されていることを特徴とする請求項１ないし請求項５のいずれかに記載の表示装置。
【発明の詳細な説明】
【技術分野】
【０００１】
本発明は、表示装置に関する。
【背景技術】
【０００２】
従来、内部に光源を配し、この光源によって掲示部を光らせるようにして宣伝等を行う表示装置が提供されている。この種の表示装置では、光源に電力を供給するための電源が必要となるため、多くのものは、家庭用電源等の外部電源に接続するための電気コードを備えており、この電気コードを介して外部電源からの電力を、光源等の各種電気部品に供給するようにしている。
【０００３】
しかしながら、このような構成では、使用の際に必ず外部電源に接続できる環境でなくてはならず、使用上の制約が大きい。また、電気コードを用いることによるデメリット（例えば、歩行者等の障害となったり、見栄えが悪くなる等の問題）も大きく、使用時に外部電源接続用の電気コードが不要となる構成が望まれる。このような技術として、特許文献１のようなものが提供されている。特許文献１の技術では、装置内に充電可能なバッテリーが設けられており、このような構成によれば、外部電源接続用の電気コードが不要となり、上記のような問題を効果的に解消できる。
【０００４】
【特許文献１】特開２００３−６６８７６公報
【発明の開示】
【発明が解決しようとする課題】
【０００５】
ところで、看板等の表示装置は屋外で使用されることも多いため、雨の日などであっても好適に使用できる構成が望まれるが、上記のように内部に光源等の電気機器が備えられる表示装置は、隙間から装置内部に水が浸入すると、各種電気機器に悪影響を及ぼす懸念があるため、何らかの対策を講じておく必要がある。特に、特許文献１のように、充電可能なバッテリーを用いる表示装置では、使用時に外部電源からの電力供給を不要とすることで利便性が格段に高まるものの、バッテリーや充電制御用の各種制御手段等、保護すべき電気部品が多く、仮に装置内部に水が浸入した場合であってもこれら電気機器を適切に保護しうる構成が望まれる。
【０００６】
本発明は上記のような事情に基づいて完成されたものであって、内部に光源を備えてなる表示装置において、使用時に外部電源からの電力供給を不要とし、かつ装置内部に水が浸入した場合であっても電気機器を適切に保護しうる構成を提供することを目的とする。
【課題を解決するための手段】
【０００７】
上記の目的を達成するための手段として、請求項１の発明は、
基台と、
前記基台の上方において、前記基台に支持されるように配されるフレームと、
前記フレームに保持される光透過性の掲示部と、
を備えた表示装置であって、
少なくとも前記フレームと前記掲示部とによって囲まれてなる収容部の内部に光源が設けられ、前記収容部において前記光源の下方には、前記光源に電力を供給する充電可能な電源と、前記電源への電力供給又は前記電源からの電力供給を制御する制御部と、が設けられており、
前記収容部の内部には、前記光源が設けられる収容部上方側と、前記制御部及び前記電源が設けられる収容部下方側とを仕切る仕切部が、前記制御部及び前記電源の上方をカバーするように設けられ、
前記収容部の内部において、前記収容部上方側に浸入した水を、前記仕切部上から前記収容部の外部に導く排水路が設けられていることを特徴とする。
【０００８】
なお、「制御部」は、電源への電力供給を制御する構成であってもよく、電源からの電力供給を制御する構成であってもよい。また、制御部は、少なくともいずれかの制御構成が含まれていればよく、両制御構成（電源への電力供給を制御する構成と、電源からの電力供給を制御する構成）を有するものであってもよい。
例えば、「電源への電力供給を制御する構成としては」、電源への電力供給を制御する充電器を有する構成などが挙げられ、「電源からの電力供給を制御する構成」としては、例えば、光源（例えば蛍光灯）への電力供給を制御する安定器を有する構成などが挙げられる。
【０００９】
請求項２の発明は、請求項１に記載の表示装置において、
前記フレームは、前記基台の上方においてそれぞれ上下方向に沿って長手状に配される一対の側壁部を有し、
一対の前記側壁部における上方側の第１部分に支持されるように一対の前記掲示部が互いに対向して配置され、
一対の前記側壁部における前記第１部分と、一対の前記掲示部と、に囲まれるようにして上方収容部が構成され、
一対の前記側壁部において前記第１部分よりも下方側に第２部分が設けられ、
この第２部分に支持されるように一対のパネルが互いに対向して配置され、
一対の前記パネルと、一対の前記側壁部の前記第２部分と、に囲まれるようにして下方収容部が構成されており、
前記下方収容部において、前記電源と、前記制御部とが収容されており、
前記仕切部は、前記上方収容部と、前記下方収容部とを仕切る形態にて、一対の前記側壁部の間にて架け渡されて配置されていることを特徴とする。
【００１０】
請求項３の発明は、請求項２に記載の表示装置において、
前記排水路は、前記仕切部の両側方においてそれぞれ設けられていることを特徴とする。
【００１１】
請求項４の発明は、請求項２又は請求項３に記載の表示装置において、
前記排水路は、一対の前記側壁部の一部として、当該側壁部の内側に形成された溝部からなることを特徴とする。
【００１２】
請求項５の発明は、請求項１ないし請求項４のいずれかに記載の表示装置において、
前記仕切部の上方において、
前記光源を保持する保持フレームと、
前記保持フレームの表面を流れる水の一部を前記排水路に導く補助導水路と、
が設けられていることを特徴とする。
【００１３】
請求項６の発明は、請求項１ないし請求項５のいずれかに記載の表示装置において、
前記仕切部における前記光源側とは反対側において、前記制御部が固定されていることを特徴とする。
【発明の効果】
【００１４】
＜請求項１の発明＞
請求項１の構成によれば、使用時に外部電源からの電力供給が不要となるため、利便性が格段に高いものとなり、かつ装置内部に水が浸入するような環境下であっても、充電制御等に用いる電気機器を適切に保護することが可能となる。
【００１５】
＜請求項２の発明＞
請求項２のように、側壁部を長手状に構成し、その間に電源を収めるようにすれば、基台上方をすっきり構成することができる。一方、このように構成すると、上方収容部の真下に電源等が設けられる下方収容部が構成されることとなるため、上方収容部からの水が電源及び電源に関連する電気部品に落下しやすくなってしまう。これに対し、本構成では、上方収容部と下方収容部とを上下に重ねて設けてすっきりとした構成としつつ、その一方で、これら収容部の間に仕切部を配置し、上方収容部からの水がダイレクトに電源及び電源に関連する電気部品に落下しないようにしている。従って、装置のコンパクト化を図りつつ、電気機器を効果的に保護しうることとなる。
【００１６】
＜請求項３の発明＞
請求項３のようにすれば、仕切部上方の水をより一層効率的に排水できることとなる。
【００１７】
＜請求項４の発明＞
請求項４のように、排水路を、一対の側壁部の一部として溝状に形成すれば、上方からの水を下方に好適に排水できる構成を、部品点数を多くすることなく簡易に実現できる。
【００１８】
＜請求項５の発明＞
請求項５のように、保持フレームの表面を流れる水の一部を排水路に導く補助動水路を設けておけば、仕切部に達する前にある程度排水路に流すことができ、効率的な排水が可能となる。
【００１９】
＜請求項６の発明＞
請求項６のように、仕切部における光源側とは反対側に制御部を固定すれば、制御部に上方からの水が及びにくくなり、水の影響を排除すべき制御部についての好適例となる。
【発明を実施するための最良の形態】
【００２０】
＜実施形態１＞
本発明の第１実施形態を図１ないし図１０を参照して説明する。
図１は、本発明の実施形態１に係る照明看板の正面図であり、図２はその側面図、図３は、照明看板の内部構成を概略的に示すものであり、図１の照明看板について、一方のフレームを除いて側方から見た図である。図４は、照明看板の内部構成を概略的に示すものであり、掲示部３及びパネル８７を除いた状態を正面から見た図である。また、図５は、図１の照明看板を、図４のＡ−Ａ切断線位置で切断した状態を概略的に示す断面図であり、図６は、図１の照明看板を、図４のＢ−Ｂ切断線の位置で切断した断面について、光源等を省略して示す断面概略図である。また、図７は、図１の照明看板を、図４のＣ−Ｃ切断線の位置で切断した状態を概略的に示す断面図であり、図８は、図１の照明看板を、図４のＤ−Ｄ切断線の位置で切断した状態を概略的に示す断面図である。図９は、照明看板１の電気的構成を概略的に示すブロック図である。図１０は視認窓の構成を概念的に示す断面外略図である。
【００２１】
本発明の実施形態１にかかる照明看板１（照明看板１は特許請求の範囲でいう表示装置に相当する）は、例えば屋外などに配置されて、宣伝、広告、装飾等を行うものであり、図１及び図２に示すように、当該照明看板１を載置する載置面Ｆ（図１では二点差線にて概念的に例示）上に支持される基台２０と、基台２０の上方において、基台２０に支持されるように配されるフレーム１０とを備えており、図３に示すように、フレーム１０には、光透過性の掲示部３，５が保持されている。
【００２２】
図１、図２に示すように、基台２０は、四方を取り囲む側壁２３と、側壁２３の上端側に固定される支持板２５（図６）を備えた構成をなしており、側壁２３の下端部には後述する４つのキャスター２２が取り付けられている。基台２０は、このキャスター２２を介して載置面Ｆに支持されている。
【００２３】
図３及び図４に示すように、フレーム１０は、基台２０の支持板２５（図６）にねじ、ボルト等の接続部材によって固定されている。このフレーム１０は、一対の側壁部１５、１７を備えた構成をなし、さらに、側壁部１５、１７の上端部に設けられた第１連結部１１と、その下方に設けられた第２連結部１２と、第２連結部１２の下方において基台２０に支持される形態にて設けられた第３連結部１９とを備えている。即ち、一対の側壁部１５、１７を第１連結部１１、第２連結部１２、第３連結部１９によって連結する形態にてフレーム１０が構成されている。本実施形態では、両側壁部１５、１７と各連結部１１、１２、１９との固定は例えばねじ、ボルト等の接続部材によってなされている。なお、側壁部１５、１７及び各連結部１１、１２、１９は、いずれも、アルミニウム等の金属材料の金属加工品（例えば押し出し成形品）として構成できる。
【００２４】
図１、図２に示すように、フレーム１０において、一対の側壁部１５、１７は、基台２０の上方においてそれぞれ上下方向に沿って長手状に配されている。なお、本明細書では、載置面と直交する方向を上下方向とする。そして、これら一対の側壁部１５、１７における上方側の第１部分１５ａ、１７ａ（仕切部６０よりも上方部分：図４参照）に支持されるように、板状に構成される一対の掲示部３，５が互いに対向して平行配置されている。より詳しくは、図１、図３、図４に示すように、第１連結部１１、両側壁部１５、１７の第１部分１５ａ、１７ａ、及び、第２連結部１２にて囲まれるようにして掲示部３、５が保持されている。本実施形態では、図３に示すように、第１連結部１１、第２連結部１２のぞれぞれに形成された溝内に挟まるようにして掲示部３、５が第１連結部１１及び第２連結部１２にそれぞれ保持されており、図５、図７に示すように、両側壁部１５、１７に形成された溝内に挟まるようにして掲示部３，５が両側壁部１５、１７に保持されている。そして、図３、図４に示すように、第１連結部１１と、両側壁部１５、１７における第１部分１５ａ、１７ａと、一対の掲示部３，５とに囲まれるようにして、収容部１００の一部をなす上方収容部１０１が構成されている。
【００２５】
また、図３、図５に示すように、掲示部３，５は、透光性を有する樹脂材料にて板状に構成されており、内部に配置された後述する光源４１、４２からの光を透過して照明光を発するように構成されている。なお、図示はしていないが、掲示部３、５には、法人名、商品名、役務名などの文字や図形、或いは装飾のための絵柄などを記載することができる。
【００２６】
図４に示すように、光源４１、４２は、フレーム１０と掲示部３，５とによって囲まれてなる収容部１００の内部（具体的には上方収容部１０１の内部）に設けられている。本実施形態に係る光源４１、４２は蛍光灯として構成されており、各光源４１、４２に対応して安定器４３、４４がそれぞれ設けられている。これら安定器４３、４４から電源４６、４７側に延設される形態にて図示しない電線が設けられている。このような構成により、充電可能な電源４６、４７を用いて光源４１、４２に対して電力供給するようにしている（図９参照）。
【００２７】
図４、図５に示すように、光源４１、４２及び安定器４３、４４は、仕切部６０の上方において保持フレーム７１、７２にそれぞれ保持される構成をなしている。図４の例では、直線状の蛍光灯が複数本（ここでは２本）設けられており、これら蛍光灯は上下方向に沿って互いに平行に並んだ状態で配置されている。
【００２８】
保持フレーム７１、７２は、上方収容部１０１の上方側に設けられた上方フレーム８０にＬ字状の連結具７３、７５を介してそれぞれ固定されている。また、図４、図７に示すように、保持フレーム７１、７２は、上方収容部１０１の下方側に設けられた下方フレーム７０に、Ｌ字状の連結具７４、７６を介してそれぞれ固定されている。なお、本実施形態では、各保持フレーム７１、７２は、連結具７３、７５にそれぞれねじ、ボルト等の接続部材（図示略）によって連結されており、また、連結具７４、７６に対してもねじ、ボルト等の接続部材（図示略）によって固定されている。また、連結具７３、７５は、ねじ、ボルト等の接続部材（図示略）によって上方フレーム８０に固定され、連結部７４、７６についてもねじ、ボルト等の接続部材（図示略）によって下方フレーム７０に固定されいる。上方フレーム８０と下方フレーム７０はフレーム１０に固定されるものであり、このようにして光源４１、４２が上方収容部１０１内において安定的に保持されている。
【００２９】
なお、ここに示す構成は、光源に対して充電可能な電源によって電力を供給するための一例であり、光源に安定的に電力供給しうる構成であればこれ以外の公知構成を適宜用いることができるのはいうまでもない。また、配置例もあくまで一例であり、単一の蛍光灯のみを配置してもよく、３本以上配置してもよい。また、光源形状についても、直線状に限らず、環状、球状等の他形状の蛍光灯を取付けるようにしてもよい。
【００３０】
また、蛍光灯に限らず、白熱灯、ハロゲンランプや、高圧ナトリウムランプ、メタルハライドランプ、水銀ランプなどのＨＩＤランプ等、種々の光源を用いるようにしてもよい。また、ネオン管を光源として用いるようしてもよい。例えば、管状のガラス部の折り曲げにより、文字、図形等、様々な形状をなすように構成し、ネオンサイン等として用いることができる。この場合、掲示部３、５を構成する透光性材料として透明材料を用い、ネオン管の形状、発光態様が掲示部３、５を通して視認できるようにするとよい。これ以外にも、ＬＥＤなどの光源を利用することが可能である。
【００３１】
図３、図４に示すように、収容部１００において光源４１、４２の下方には、板状に構成される仕切部６０が設けられており、この仕切部６０の下方には、光源４１、４２に電力を供給する充電可能な電源４６、４７と、電源４６、４７への電力供給を制御する制御部５０が設けられている。電源４６、４７は、ここでは、約１２Ｖとされる２つの電源（例えば鉛蓄電池等の二次電池として構成される電源）が直列接続されており、約２４Ｖの出力が可能とされている。電源４６、４７は、図３、図４、図８に示すように、第３連結部１９に支持される支持台８４に下方が支持されており、上方がプレート８５に支持されている。そして、これがプレート８５と支持台８４がボルト４８ａ、４８ｂ、４８ｃによって挟持されており、この挟持されるプレート８５と支持台８４に挟まれるようにして電源４６、４７が支持台８４上に固定されている。
【００３２】
図３、図４に示すように、仕切部６０は、収容部１００の内部において、光源４１、４２が設けられる収容部上方側と、制御部５０及び電源４６、４７が設けられる収容部下方側とを仕切る構成をなし、制御部５０及び電源４６、４７の上方をカバーするように設けられている。そして、図７、図８に示すように、収容部１００の内部において、収容部上方側に浸入した水を、仕切部６０上から収容部１００の外部に導くように、仕切部６０の側方において仕切部６０から下方に延びる排水路６２，６３が設けられている。この構成では、使用時に外部電源からの電力供給を不要として利便性を格段に高めつつ、その一方で、装置内部に水が浸入するような環境下であっても、充電制御等に用いる電気機器を適切に保護できるようになっている。
【００３３】
本実施形態に係る制御部５０は、図３、図９に示すように、ケーシングと、ケーシングの内部において外部電源を用いて定電流定電圧方式で充電を行う充電器５２と、電源４６、４７の充電状態を検出する検出回路５４とを備えた構成をなしており（図９参照、図３等では図示略）、仕切部６０において、光源４１、４２側とは反対側に固定されている。従って、制御部５０に上方からの水が及びにくくなっている。なお、制御部５０は、仕切部６０に溶接や接着剤等により固定してもよく、仕切部６０にねじ等の接続部材によって固定してもよく、下方フレーム７０にねじ等の接続部材によって仕切部６０を貫通させるように固定してもよい。
【００３４】
図７に示すように、排水路６２，６３は、仕切部６０の両側方においてそれぞれ設けられており、一対の側壁部１５、１７の一部として、両側壁部１５，１７の内側に形成された溝部として構成されている。また、両排水路６２，６３は、仕切部６０と基台２０の間を、当該照明看板１の載置面（図１の符号Ｆ参照）に対する直交方向（即ち、上下方向）に沿うように設けられている。このように載置面に対する直交方向に沿って排水路６２，６３を構成すれば、水を効率的に下方に導くことができる。
【００３５】
また、図８に示すように、側壁部１７側の排水路６２は、前方側（パネル８７側）に設けられる第１排水路６２ａと後方側（パネル８８側）に設けられる第２排水路６２ｂを有し、さらに、その間に第３排水路６２ｃが設けられている。即ち、３本の流路が構成されている。側壁部１５側の排水路６３も同様であり、前方側（パネル８７側）に設けられる第１排水路６３ａと後方側（パネル８８側）に設けられる第２排水路６３ｂを有し、さらに、その間に第３排水路６３ｃが設けられている。
【００３６】
各第３排水路６２ｃ、６３ｃは、後述する下方フレーム７０（補助導水路）からの水を下方に排出しうるように構成されている。これら排水路６２、６３は、上下方向において、少なくとも仕切部６０の位置から基台２０の位置（詳しくは支持板２５の位置）まで形成されており、基台２０の支持板２５には、これら排水路６２、６３と連通する孔２５ａ、２５ｂがそれぞれ形成されている。なお、図８には、排水路６２、６３とそれぞれ連通する支持台の孔２５ａ、２５ｂを破線にて仮想的に示している。このように構成されることにより、排水路６２、６３を流れた水が、孔２５ａ、２５ｂを介して基台２０の下に流れ落ちることとなる。
【００３７】
また、図３、図４に示すように、一対の側壁部１５、１７において第１部分１５ａ、１７ａよりも下方側には、第２部分１５ｂ、１７ｂが設けられ、この第２部分１５ｂ、１７ｂに支持されるように一対のパネル８７、８８が互いに対向して配置されている。そして、これら一対のパネル８７，８８と、一対の側壁部１５、１７の第２部分１５ｂ、１７ｂと、に囲まれるようにして下方収容部１０２が構成されている。
【００３８】
この下方収容部１０２には、上述の電源４６、４７と制御部５０とが収容されており、仕切部６０は、上方収容部１０１と下方収容部１０２とを仕切る形態にて、両側壁部１５、１７の間にて架け渡されて配置されている。
【００３９】
本実施形態に係る構成では、側壁部１５、１７を長手状に構成し、その間に電源４６、４７を収めるようにしているため、基台２０上方がすっきりと構成されている。一方、このように構成すると、上方収容部１０１の真下に電源４６、４７等が設けられる下方収容部１０２が構成されることとなるため、上方収容部１０１からの水が電源４６、４７及び電源４６、４７に関連する電気部品（即ち制御部５０等）に落下しやすくなってしまう。これに対し、本構成では、上方収容部１０１と下方収容部１０２とを上下に重ねて設けてすっきりとした構成としつつ、その一方で、これら収容部の間に仕切部６０を配置し、かつ排水路６２、６３を設けているため、上方収容部１０１からの水がダイレクトに電源４６、４７及び電源４６、４７に関連する電気部品に落下しないようにしている。従って、装置のコンパクト化を図りつつ、電気機器を効果的に保護しうることとなる。
【００４０】
また、図２、図４に示すように、各側壁部１５、１７は、仕切部６０よりも上方側の第１部分１５ａ、１７ａと、仕切部６０よりも下方側の第２部分１５ｂ、１７ｂとがそれぞれ一体部品として形成されている。そして、図２、図３に示すように、一対の側壁部１５、１７が互いに対向する対向方向と、上下方向とにそれぞれ直交する方向を幅方向とした場合、各側壁部１５、１７は、第１部分１５ａ、１７ａの幅と、第２部分１５ｂ、１７ｂの幅とがそれぞれ略同一とされており、掲示部３，５、光源４１、４２、制御部５０、及び電源４６、４７が、この幅方向において、側壁部１５、１７の配置領域内に収まるように設けられている。このようにすることにより、長手状に形成される側壁部１５、１７の幅領域内に主要部品がすべて収まる格好となるため、デザイン的にすっきりまとまる構成となっている。
【００４１】
なお、本実施形態に係る構成では、図４のように、仕切部６０の上方において、光源４１、４２を保持する上述の保持フレーム７１，７２が設けられているが、この保持フレーム７１、７２に固定される下方フレーム７０は、上方に開く溝状に構成され、図７のように、保持フレーム７１、７２の表面を流れる水の一部を排水路６２，６３（具体的には、第３排水路６２ｃ、６３ｃ）に導く補助導水路として機能している。このように保持フレーム７１、７２の表面を流れる水の一部を排水路６２，６３に導くようにしておけば、仕切部６０に達する前にある程度排水路６２，６３に流すことができ、効率的な排水が可能となる。なお、フレーム７０の一部には、水抜き孔が形成されており、フレーム７０を流れる一部の水を、仕切部６０側にも流すようにしている。即ち、フレーム７０に溜まる水を、第３排水路６２ｃ、６３ｃ側と仕切部６０側とに分散して流すようにしている。なお、図７では、ねじ、ボルト等の締結部材を省略しているが、連結具７４、７６は、上述したように締結部材によって下方フレーム７０に固定されている。下方フレーム７０は、連結具７８、７７により、側壁部１５、１７にそれぞれ固定されているが、この連結具７８、７７は、下方フレーム７０の上端付近に固定されており、連結具７８、７７の下方を通って水が下方フレーム７０から第３排水路６２ｃ、６３ｃに流れるようになっている。
【００４２】
また、図１、図２に示すように、側壁部１５には、光源４１、４２への電源からの電力供給をオン又はオフするためのスイッチ３１が設けられている。スイッチ３１を用いて所定の対象物への電力供給をオンオフする構成は公知であるので詳細は省略するが、本構成では、ユーザがスイッチ３１をオン操作することにより、光源４１、４２へ電力供給をでき、また、オフ操作することにより電力供給を遮断でき、このようにして光源４１、４２を点灯又は消灯できるように構成されている。
【００４３】
さらに、側壁部１５には、電源４６、４７への電力供給を行うための端子３３が設けられている。端子３３は、外部交流電源（例えば家庭用の１００Ｖ電源）に接続可能とされている。なお、ここでは、図示はしていないが、一端が端子３３と嵌合可能とされ、他端が家庭用コンセントに挿入可能とされた延長コード等を用いて家庭用コンセントと端子３３とを接続できるように構成されている。このように接続することにより、図９に示すように充電器５２に対し１００Ｖの交流電圧が印加される構成となっている。そして、充電器５２は、１００Ｖの交流電源からの電力に基づき、定電圧状態、及び定電流状態で電源４６、４７の充電を行うように構成されている。この構成では、充電時以外は充電用のコードを照明装置１から取り除いておくことができるため、構成がすっきりする。
【００４４】
なお、端子３３の形状を、家庭用コンセントのオス形状と同規格としてもよい。このようにすれば、普及している家庭用延長コードを用いて家庭用電源から電力供給を行うことができるようになる。
【００４５】
また、下方収容部１０２には、電源４６、４７における充電状態を検出する検出回路５４（検出回路５４が確認手段に相当する）と、検出回路５４による検出結果に基づき、充電状態に関する情報を表示する表示部５６とが設けられている。また、パネル８７には、表示部５６を装置外部から視認可能とする視認窓５８が設けらている。このようにすれば、充電状態を外部から簡単に確認できることとなり、利便性が高まる。なお、本実施形態の構成では、図１０に示すように、パネル８７は２枚重ねで構成されており、前方には透明の第１パネル８７ａが設けられ、その後方には、一部が開口する不透明の第２パネル８７ｂが設けられいる。この第２パネル８７ｂの開口部が視認窓５８とされている。
【００４６】
図９に示すように、検出回路５４は、充電器５２と共に制御部５０を構成しており、図３、図４のように、制御部５０のケーシングの外部に表示部５６が配置されている。ここでは、検出回路５４によって電源４６、４７の電圧レベルを検出し、閾値レベル以上であれば、一方のランプ（ここでは緑色ランプ）を点灯させ、閾値レベル未満であれば、他方のランプ（ここでは赤色ランプ）を点灯させるようにしている。
【００４７】
なお、ここでは、電源４６、４７の電圧レベルに基づいて充電量が十分か否かを判断していたが、これに限らず公知の様々な充電量確認方法を用いることができる。例えば、タイマを設け、充電開始から一定時間経過した場合に充電量が十分となったとみなしてその旨の情報（ここでは緑色のランプ）を表示するようにしてもよい。また、これとは逆に、充電状態に関する情報を表示させるための構成を省略してもよい。この場合、パネル８７は、例えば不透明な１枚板によって構成できる。
【００４８】
また、図４に示すように、電源４６、４７が収容される下方収容部１０２には、開閉可能な開口部５９が設けられており、開口部５９を介して電源４６、４７が着脱可能とされている。従って、電源４６、４７が劣化した場合などにおいて、電源４６、４７の交換作業を行いやすい構成となっている。開口部５９には、図１、図３に示すように、パネル８７が着脱可能に取り付けられており、このパネル８７を取り外すことにより下方収容部１０２の内部が露出する構成となっている。なお、パネルを着脱可能とする方法は様々な方法を用いることができるが、ここでは、ねじ等の連結部材を介してパネル８７がフレーム１０に取り付けられており、この連結部材を取り外すことにより開口部５９を開放できるようになっている。
【００４９】
さらに、本実施形態に係る構成では、図１、図２に示すように、フレーム１０に把手部１３、１４が設けられ、基台２０には４つのキャスター２２が、基台２０の四隅に設けられており、持ち運び容易な構成とされている。把手部１３、１４は、側壁部１５，１７にそれぞれ取り付けられており、金属部材などによって形成されるものである。なお、把手部１３、１４の形状はこれに限らず様々な形状を採用することができる。またその数についても、２つに限らず、１つのみ、或いは３つ以上設けるようしてもよい。このような把手部１３、１４を設ける構成とすることにより、照明器具１を持ち運びやすくなり、把手部１３、１４を持ちつつキャスター１７を転がすようにして移動させるようにすれば、充電可能な電源を備えて重くなりがちな照明看板１などにおいては特に有効となる。
【００５０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、家庭用電源によって充電する構成を例示したが、家庭用電源以外の電源を用いて充電できる構成であってもよい。例えば、太陽電池等の発電装置を内部に設け、この発電装置により電源に充電するようにしてもよい。
（２）上記実施形態では、キャスターを下部に配置するようにしたが、キャスターに代えて、車輪を有さない脚部を取付けるようにしてもよい。
（３）上記実施形態では、照明看板として構成される照明装置を例示したが、看板として用いずに、看板機能を有さない照明器具として用いるようにしてもよい。
（４）上記実施形態では、掲示部３，５のほぼ全体を透光性材料にて形成する例を示したが、一部分のみを透光性材料にて形成するようにしてもよい。
【図面の簡単な説明】
【００５１】
【図１】本発明の実施形態１に係る照明看板を例示する正面図
【図２】図１の照明看板の側面図
【図３】図１の照明看板の内部構成を概略的に示すものであり、当該照明看板について一方のフレームを除いて側方から見た図
【図４】図１の照明看板の内部構成を概略的に示すものであり、当該照明看板について掲示部３及びパネル８７を除いた状態を正面から見た図
【図５】図１の照明看板について図４のＡ−Ａ切断線位置で切断した状態を概略的に示す断面図
【図６】図１の照明看板について図４のＢ−Ｂ切断線位置で切断した状態を一部を省略して概略的に示す断面図
【図７】図１の照明看板について図４のＣ−Ｃ切断線位置で切断した状態を概略的に示す断面図
【図８】図１の照明看板について図４のＤ−Ｄ切断線位置で切断した状態を概略的に示す断面図
【図９】照明看板１の電気的構成を概略的に例示するブロック図
【図１０】視認窓の構成を概念的に示す断面概念図
【符号の説明】
【００５２】
１…照明看板（表示装置）
３，５…掲示部
１０…フレーム
１３，１４…把手部
１５，１７…側壁部
１５ａ，１７ａ…第１部分
１５ｂ，１７ｂ…第２部分
２０…基台
２２…キャスター
４１，４２…光源
４６，４７…電源
５０…制御部
６０…仕切部
６２，６３…排水路
７０…下方フレーム（補助導水路）
７１，７２…保持フレーム
８７，８８…パネル
１００…収容部
１０１…上方収容部
１０２…下方収容部
Ｆ…載置面
【図１】
2006259499.tif 000003
【図２】
2006259499.tif 000004
【図３】
2006259499.tif 000005
【図４】
2006259499.tif 000006
【図５】
2006259499.tif 000007
【図６】
2006259499.tif 000008
【図７】
2006259499.tif 000009
【図８】
2006259499.tif 000010
【図９】
2006259499.tif 000011
【図１０】
2006259499.tif 000012